(57)【特許請求の範囲】
【請求項１】
各々個別に設置される第１および第２の入金部と、当該各入金部から入金された現金を一時保留する第１および第２の一時保留部と、前記第１および第２の一時保留部内の現金を共通の複数の金種カセットに各々分配処理する第１および第２の分配部と、前記第２の入金部に対応して設置され前記複数の金種カセット内の現金を出金する出金部とを備える現金取引装置において、
前記第１の入金部、前記第２の入金部、または前記出金部の操作のうち最適化する操作を設定する最適化操作設定部と、
前記第１および第２の分配部の各動作状態と、前記第１および第２の一時保留部内の現金の各保留状態と、前記複数の金種カセット内の現金の各保管状態のうちの少なくとも１つの状態に基づいて、前記最適化操作設定部で設定された前記操作を最適化する操作最適化制御部と、
を備えることを特徴とする現金取引装置。
【請求項２】
前記最適化操作設定部が前記出金部の操作を最適化するように設定した場合に、前記操作最適化制御部は、前記出金部の操作の開始時に、
前記第１の分配部が分配処理を実行している場合に、前記出金部の操作のために十分な現金が前記各金種カセット内に保管されていない場合であって、かつ、前記実行中の第１の分配部による分配処理によって前記各金種カセット内の現金が前記出金部の操作のために十分な金額になる場合には、前記実行中の第１の分配部による分配処理を実行した後に、前記出金部の操作を開始する、
ことを特徴とする請求項１に記載の現金取引装置。
【請求項３】
前記操作最適化制御部は、前記出金部の操作の開始時に、前記第１の分配部が分配処理を実行している場合に、前記出金部の操作のために十分な現金が前記各金種カセット内に保管されていない場合であって、かつ、前記実行中の第１の分配部による分配処理によって前記各金種カセット内の現金が前記出金部の操作のために十分な金額になる場合には、前記各金種カセット内の現金が前記出金部の操作のために十分な金額になるまで前記実行中の第１の分配部による分配処理を実行した後に当該実行中の第１の分配部による分配処理を停止させ、前記出金部の操作を開始する、
ことを特徴とする請求項２に記載の現金取引装置。
【請求項４】
前記操作最適化制御部は、前記出金部の操作の開始時に、前記第１の分配部が分配処理を実行している場合に、前記出金部の操作のために十分な現金が前記各金種カセット内に保管されていない場合であって、かつ、前記実行中の第１の分配部による分配処理によって前記各金種カセット内の現金が前記出金部の操作のために十分な金額になる場合には、前記実行中の第１の分配部による分配処理が実行を完了した後に、前記出金部の操作を開始する、
ことを特徴とする請求項２に記載の現金取引装置。
【請求項５】
前記最適化操作設定部が前記出金部の操作を最適化するように設定した場合に、前記操作最適化制御部は、前記出金部の操作の開始時に、
前記第１の分配部が分配処理を実行している場合に、前記出金部の操作のために十分な現金が前記各金種カセット内に保管されている場合には、前記実行中の第１の分配部による分配処理を中断させた上で、前記出金部の操作を開始する、
ことを特徴とする請求項１に記載の現金取引装置。
【請求項６】
前記操作最適化制御部は、前記出金部の操作の完了後に、前記第１の一時保留部に現金が残っている場合には、前記第１の分配部による分配処理を再開させる、
ことを特徴とする請求項２ないし５のいずれかに記載の現金取引装置。
【請求項７】
前記最適化操作設定部が前記第１または第２の入金部の操作を最適化するように設定した場合に、前記操作最適化制御部は、
前記第１または第２の入金部から前記第１または第２の一時保留部への入金処理の完了時に、当該入金処理が完了した第１または第２の入金部とは異なる第２または第１の入金部に対応する第２または第１の分配部が分配処理を実行している場合に、当該実行中の第２または第１の分配部による分配処理を中断させた上で、前記第１または第２の分配部による分配処理を開始し、
前記第１または第２の分配部による分配処理の完了後に、前記操作を行った第１または第２の入金部とは異なる第２または第１の入金部に対応する第２または第１の一時保留部に現金が残っている場合には、前記第２または第１の分配部による分配処理を再開させる、
ことを特徴とする請求項１に記載の現金取引装置。
【発明の詳細な説明】
【技術分野】
【０００１】
本発明は、紙幣の入出金部を含む現金取引装置に関する。
【背景技術】
【０００２】
金融機関に設置される現金取引装置のうち、リサイクルキャッシャー装置は、ロビー側に顧客用の入金部、オフィス側に職員用の入出金部を備え、顧客が入金する現金と金融機関の職員が入出金する現金を保管し、保管した現金（紙幣）を金融機関の職員がリサイクルして利用することができる。
【０００３】
このようなリサイクルキャッシャー装置では、リサイクルキャッシャー装置が設置される金融機関における現金事務の効率化のために、１台のリサイクルキャッシャー装置で業務が集約され、オペレーションの統一化が図られている。しかし業務の性格上、入金頻度より出金頻度の方が多い店舗や入金頻度の方が多い店舗もあり、また、ロビー側の入金頻度とオフィス側の入出金頻度にも差があり、入出金における効率的な運用が求められている。
【０００４】
リサイクルキャッシャー装置の現金入金機は、ロビー側の入金機能とオフィス側の入出金機能は連携されており、現金を保管するための金種カセット（以下、「現金カセット」という）は、オフィス側に集約される。このため、リサイクルキャッシャー装置は、表裏（ロビー側とオフィス側）の連携運用が可能なユニットとなっている。
【０００５】
顧客によりロビー側の入金部に入金された現金は、いったんロビー側の一時保留部に保管される。職員による入金もオフィス側の入金部から可能で、その現金はいったんオフィス側の一時保留部に保管される。ロビー側の一時保留部内の現金およびオフィス側の一時保留部内の現金は機外の現金として扱われるため、それぞれの入金完了後適切なタイミングで、金種を識別しながら各金種の金種カセットに移動させて機内の現金とする必要がある。このようなロビー側またはオフィス側の各一時保留部から金種別に各金種カセットへ移動する処理は、分配処理という。各金種カセットのカウンタの情報は、金融機関の基幹システム側に通知され、基幹システム側で把握することができる。
【０００６】
ロビー側の一時保留部内から各金種カセットへの分配処理（以下、「ロビー側分配処理」という）と、オフィス側一時保留部内から各金種カセットへの分配処理（以下、「オフィス側分配処理」という）は、排他的に実行される。すなわち、どちらか一方の分配処理しか行うことができない。また、出金処理についても、金種カセットの現金を出金箱へ繰り出す処理をする。このため、同様に金種カセットへ現金を繰り出す分配処理が実行されているときには、出金処理は行うことができない。分配処理は、比較的時間を要する（例えば７分程度）ため、顧客および行員双方の利便性を低下させないために、ロビー側分配処理とオフィス側分配処理の実行間隔を最適化する必要がある。オフィス側分配処理が実行されているときに、ロビー側で顧客がロビー側一時保留部に現金を入金することはできるが、ロビー側一時保留部が空でないと次の顧客は操作できない。同様に、オフィス側一時保留部が空でないと職員は次の入金操作ができない。そのため、ロビー側一時保留部とオフィス側一時保留部の双方に現金が保管されている状態では、次に入金を行おうとする顧客は、ロビー側分配処理とオフィス側分配処理の双方が完了する長時間（一般的には十数分）待たされることになる。このような待機時間は、顧客や行員の利便性を著しく低下させてしまう。
【発明の概要】
【発明が解決しようとする課題】
【０００７】
本発明は、現金取引装置内の各部の状態に応じて分配処理および入出金処理を最適化することを目的とする。
【課題を解決するための手段】
【０００８】
態様の一例では、各々個別に設置される第１および第２の入金部と、各入金部から入金された現金を一時保留する第１および第２の一時保留部と、第１および第２の一時保留部内の現金を共通の複数の金種カセットに各々分配処理する第１および第２の分配部と、第２の入金部に対応して設置され複数の金種カセット内の現金を出金する出金部とを備える現金取引装置であって、第１の入金部、第２の入金部、または出金部の操作のうち最適化する操作を設定する最適化操作設定部と、第１および第２の分配部の動作状態と、第１および第２の一時保留部内の現金の保留状態と、複数の金種カセット内の現金の保管状態のうちの少なくとも１つの状態に基づいて、最適化操作設定部で設定された操作を最適化する操作最適化制御部とを備える。
【発明の効果】
【０００９】
本発明によれば、現金取引装置内の各部の状態に応じて分配処理および入出金処理を最適化することが可能となる。
【図面の簡単な説明】
【００１０】
【図１】本実施形態のリサイクルキャッシャー装置の構成例を示した図である。
【図２】オフィス側出金最適化処理を示すフローチャートである。
【図３】ロビー側入金最適化処理を示すフローチャートである。
【図４】オフィス側入金最適化処理を示すフローチャートである。
【図５】最適化操作設定処理を示すフローチャートである。
【図６】本実施形態で使用されるデータベースのデータ構成例を示す図である。
【発明を実施するための形態】
【００１１】
以下、本発明を実施するための形態について図面を参照しながら詳細に説明する。
以下の実施形態は、本発明による現金取引装置をリサイクルキャッシャー装置１００として実施した場合について説明する。
【００１２】
図１は、本実施形態のリサイクルキャッシャー装置１００構成例を示した図である。
図１において、リサイクルキャッシャー装置１００は、ロビー側入金機１０１とオフィス側入出金機１０２で構成される。ロビー側入金機１０１とオフィス側入出金機１０２は、例えば壁によって仕切られ、ロビー側入金機１０１は、店舗の顧客スペースであるロビー側に設置され、オフィス側入出金機１０２は例えば銀行の行員の専用スペースであるオフィス側に設置される。
【００１３】
ロビー側入金機１０１は、紙幣を入れるロビー側入金口１０３、ロビー側供給ホッパ１０４、ロビー側紙幣繰出し部１０５、ロビー側識別部１０６、ロビー側一時保留部１０７、ロビー側分配部１０８、およびロビー側リジェクト箱１０９を備える。
【００１４】
ロビー側入金口１０３、ロビー側供給ホッパ１０４、ロビー側紙幣繰出し部１０５、およびロビー側識別部１０６は、第１の入金部を構成する。オフィス側一時保留部１１４は、第１の一時保留部を構成する。オフィス側分配部１１５は、第１の分配部を構成する。
【００１５】
オフィス側入出金機１０２は、紙幣を入れるオフィス側入金口１１０、オフィス側供給ホッパ１１１、オフィス側紙幣繰出し部１１２、オフィス側識別部１１３、オフィス側一時保留部１１４、オフィス側分配部１１５、およびオフィス側リジェクト箱１１６、金種カセット１１７ａ、１１７ｂ、１１７ｃ、１１７ｄ（４つを総称して「金種カセット１１７」という）、オフィス側出金箱１１８、制御部１１９、最適化操作設定部１２０、操作最適化制御部１２１を備える。
【００１６】
オフィス側入金口１１０、オフィス側供給ホッパ１１１、オフィス側紙幣繰出し部１１２、およびオフィス側識別部１１３は、第２の入金部を構成する。オフィス側一時保留部１１４は、第２の一時保留部を構成する。オフィス側分配部１１５は、第２の分配部を構成する。オフィス側出金箱１１８と金種カセット１１７ａ、１１７ｂ、１１７ｃ、１１７ｄの一部機能は、出金部を構成する。
【００１７】
ロビー側で、顧客がロビー側入金口１０３に紙幣を入れると、その紙幣はロビー側供給ホッパ１０４で保持される。顧客が入金を完了すると、ロビー側供給ホッパ１０４内の紙幣は、ロビー側紙幣繰出し部１０５によって、ロビー側識別部１０６に送られる。
【００１８】
ロビー側識別部１０６は、投入された紙幣の金種や偽札の鑑別の処理と、その他の、汚損紙幣の検出やダブルフィールド（重なった紙幣）や破れ等の不明紙幣のリジェクト等の処理を行う。ロビー側識別部１０６は、金種を識別できた紙幣をロビー側一時保留部１０７に入れる。ロビー側識別部１０６は、ダブルフィールドや破れ等の不明紙幣はロビー側リジェクト箱１０９に排出する。ロビー側識別部１０６は、識別できた紙幣の金種と枚数をカウントし、オフィス側入出金機１０２内の制御部１１９に通知する。
【００１９】
ロビー側分配部１０８は、オフィス側入出金機１０２内の制御部１１９からロビー側分配処理を指示されると、ロビー側識別部１０６にロビー側一時保留部１０７内に保留されている紙幣の金種の識別を行わせる。次に、ロビー側分配部１０８は、金種が識別された紙幣を、その紙幣の金種に対応するオフィス側入出金機１０２内の金種カセット１１７ａ、１１７ｂ、１１７ｃ、１１７ｄのうちのいずれかに搬送（分配処理）する。金種カセット１１７ａの金種は、例えば１０００円である。金種カセット１１７ｂの金種は、例えば１００００円である。金種カセット１１７ｃの金種は、例えば５０００円である。金種カセット１１７ｄの金種は、その他であり、例えば２０００円を含む。ロビー側分配部１０８は、ロビー側分配処理中に金種毎の分配数をカウントし、オフィス側入出金機１０２内の制御部１１９に通知する。ロビー側分配部１０８は、ロビー側分配処理が完了すると、その旨を制御部１１９に通知する。
【００２０】
オフィス側の入金処理の動作も、ロビー側と同様である。
すなわち、オフィス側で、顧客がオフィス側入金口１１０に紙幣を投入すると、投入した紙幣はオフィス側供給ホッパ１１１で保持される。職員が入金を完了すると、オフィス側供給ホッパ１１１内の紙幣は、オフィス側紙幣繰出し部１１２によって、オフィス側識別部１１３に送られる。
【００２１】
オフィス側識別部１１３は、投入された紙幣の金種や偽札の鑑別の処理と、その他の、汚損紙幣の検出やダブルフィールド（重なった紙幣）や破れ等の不明紙幣のリジェクト等の処理を行う。オフィス側識別部１１３は、金種を識別できた紙幣をオフィス側一時保留部１１４に保管させる。オフィス側識別部１１３は、ダブルフィールドや破れ等の不明紙幣はオフィス側リジェクト箱１１６に排出させる。
【００２２】
オフィス側分配部１１５は、制御部１１９からオフィス側分配処理を指示されると、オフィス側識別部１１３にオフィス側一時保留部１１４内に保管されている紙幣の金種の識別を行わせる。次に、オフィス側分配部１１５は、金種が識別された紙幣を、その紙幣の金種に対応する金種カセット１１７ａ、１１７ｂ、１１７ｃ、１１７ｄのうちのいずれかに搬送（分配処理）する。オフィス側分配部１１５は、オフィス側分配処理が完了すると、その旨を制御部１１９に通知する。
【００２３】
職員が、オフィス側の特には図示しない操作卓から出金処理を指示すると、制御部１１９は、指示された出金金額に応じて金種毎の出金枚数を計算し、各金種カセット１１７ａ、１１７ｂ、１１７ｃ、１１７ｄに、出金を指示する。これにより、各金種カセット１１７ａ、１１７ｂ、１１７ｃ、１１７ｄから、必要枚数の紙幣が、オフィス側出金箱１１８に出金される。
【００２４】
オフィス側入出金機１０２内の制御部１１９は、リサイクルキャッシャー装置１００の動作を制御する。
【００２５】
まず、制御部１１９は、以下のような一般的な処理を制御する。制御部１１９は、上述したロビー側入金機１０１における入金処理、オフィス側入出金機１０２における入金処理および出金処理を制御する。また、制御部１１９は、ロビー側入金機１０１で、ロビー側識別部１０６がロビー側供給ホッパ１０４からロビー側一時保留部１０７への紙幣の入金を完了した後、ロビー側分配部１０８に指示を出して、ロビー側分配処理を実行する。同様に、制御部１１９は、オフィス側入出金機１０２で、オフィス側識別部１１３がオフィス側供給ホッパ１１１からオフィス側一時保留部１１４への紙幣の入金を完了した後、オフィス側分配部１１５に指示を出して、オフィス側分配処理を実行する。
【００２６】
次に、制御部１１９は、最適化操作設定部１２０および操作最適化制御部１２１の機能を実行する。
【００２７】
最適化操作設定部１２０は、ロビー側入金処理（第１の入金部の操作）、オフィス側入金処理（第２の入金部の操作）、またはオフィス側出金処理（出金部の操作）のうち最適化する操作を、職員にオフィス側の特には図示しない操作卓から設定させる。
【００２８】
操作最適化制御部１２１は、ロビー側分配部１０８およびオフィス側分配部１１５の各動作状態と、ロビー側一時保留部１０７およびオフィス側一時保留部１１４内の現金の各保留状態と、金種カセット１１７ａ、１１７ｂ、１１７ｃ、１１７ｄ内の現金の各保管状態のうちの少なくとも１つの状態に基づいて、最適化操作設定部１２０で設定された操作を最適化する。
【００２９】
以上の構成を有するリサイクルキャッシャー装置１００における最適化操作設定部１２０および操作最適化制御部１２１の動作について、以下、詳細に説明する。
【００３０】
図２は、図１の操作最適化制御部１２１の一機能であるオフィス側出金最適化処理を示すフローチャートである。この処理は、例えば、制御部１１９を構成する特には図示しないプロセッサが特には図示しないメモリに記憶されたオフィス側出金最適化処理の制御プログラムを実行する処理である。或いは、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等の集積回路によって、操作最適化制御部１２１の上記機能が構成されてもよい。
【００３１】
職員は、まず予め、オフィス側の入出金処理を優先的に最適化する指示を、オフィス側の特には図示しない操作卓から与えておく。この場合、制御部１１９は、特には図示しないメモリ内の図６（ｂ）のデータ構成例を有するモード設定データベースのオフィス最適化有効設定フラグを１にセットし、ロビー最適化有効設定フラグを０にセットする。
【００３２】
ここでは、オフィス側の出金処理最適化について記述する。
この場合、次のような制御が考えられる。例えば、ロビー側の入金処理および分配処理を優先させる設定のときには、オフィス側分配処理が実行されているときに、ロビー側の入金処理またはロビー側分配処理の要求が発生したときには、オフィス側分配処理を停止させる制御を行う。逆に、例えばオフィス側の入出金処理および分配処理を優先させる設定のときには、ロビー側分配処理が実行されているときに、オフィス側の入出金処理またはオフィス側分配処理の要求が発生したときには、ロビー側分配処理を停止させる制御を行う。
【００３３】
ここで、オフィス側の出金処理が優先される設定がなされていたとする。この場合において、ロビー側分配処理が実行されているときに、オフィス側の出金処理の要求が発生したときには、一般的には、ロビー側分配処理が停止させられて、出金処理が開始される。しかし、ロビー側分配処理が停止させられて出金処理が開始しようとされたとしても、金種カセット内に出金処理に十分なだけの現金がなければ、出金処理はエラーとなってしまう。その結果、ロビー側分配処理が停止し、出金処理もできず、結果的に、ロビー側およびオフィス側の双方に無駄な空き時間ができてしまう結果になる。
【００３４】
すなわち、一般的な手動による優先設定だけでは、ロビー側の入金処理と分配処理、オフィス側の入金処理、出金処理と分配処理を最適化することができず、無駄な待ち時間や処理の継続不能状態を発生させてしまう。
【００３５】
そこで、本実施形態では、職員が、オフィス側の特には図示しない操作卓から出金処理を指示すると、上記オフィス最適化有効設定フラグが１になっている場合、制御部１１９は、図２のフローチャートで示されるオフィス側出金最適化処理を起動する。
【００３６】
制御部１１９は、まずオフィス側出金を開始する（ステップＳ２０１）。ここでは、制御部１１９は、指示された出金金額に応じて金種毎の出金枚数を計算する。
【００３７】
次に、制御部１１９は、ロビー側入金機１０１内のロビー側分配部１０８に問い合わせることにより、ロビー側紙幣についてロビー側分配処理が実行中か否かを判定する（ステップＳ２０２）。
【００３８】
制御部１１９は、ロビー側分配処理が実行中ではなくステップＳ２０２の判定がＮＯならば、ステップＳ２０５のオフィス側出金処理に移行して、即座に出金処理を開始する。
【００３９】
制御部１１９は、ロビー側分配処理が実行中であってステップＳ２０２の判定がＹＥＳならば、ステップＳ２０１で算出した金種毎に、その金種の出金枚数にその金種の補助枚数を加算する。次に、制御部１１９は、その加算値が、機内金種枚数、すなわちその機種に対応する金種カセット１１７（１１７ａ、１１７ｂ、１１７ｃ、１１７ｄのうち対応するもの）内の紙幣枚数以下であるか否かを判定する。ここでは、その金種の出金が該当する金種カセット１１７から可能か否かを判定していることになる。
【００４０】
出金枚数に補助枚数を加算しているのは、対応する金種カセット１１７内の紙幣が不良である場合に出金できない場合のマージンを考慮したためである。図６（ａ）は、制御部１１９内の特には図示しないメモリに保持されている金種設定データベースのデータ構成例を示す図である。職員は、オフィス側の特には図示しない操作卓から、予め金種毎に補助枚数を設定しておくことができ、その設定された補助枚数は、金種（例えば１０００円、１００００円、５０００円）毎に、図６（ａ）の金種設定データベースに保持される。制御部１１９は、図２のステップＳ２０３を実行するときに、ステップＳ２０１で算出した金種毎に、その金種の出金枚数に、特には図示しないメモリ内の図６（ａ）の構成例を有する金種設定データベースからその金種の補助枚数を読み出して加算する。
【００４１】
制御部１１９は、出金対象の全ての金種について、（出金枚数＋補助枚数）が機内金種枚数以下であり各金種の出金が可能でありステップＳ２０３の判定がＹＥＳの場合には、ステップＳ２０４に移行する。制御部１１９は、ステップＳ２０４で、ロビー側分配部１０８にロビー側分配処理の停止指示を出す。これにより、ロビー側分配部１０８は、ロビー側分配処理を停止する。
【００４２】
制御部１１９は、ステップＳ２０４の後、ステップＳ２０５のオフィス側出金処理に移行して、出金処理を開始する。
【００４３】
制御部１１９は、出金対象のいずれかの金種について、出金枚数＋補助枚数が機内金種枚数よりも多くその金種の金種カセット１１７に出金に十分なだけの現金がなくステップＳ２０３の判定がＮＯの場合には、ステップＳ２０９に移行する。
【００４４】
制御部１１９は、ステップＳ２０９で、ステップＳ２０３において判定された金種について、（出金枚数＋補助枚数）から機内金種枚数を減算した値が、ロビー側一時保留部１０７内の金種別の紙幣の枚数以下であるか否かを判定する。すなわち、ここでは、ステップＳ２０３で判定された金種について、金種カセット１１７で出金のために足りない紙幣枚数が、ロビー側一時保留部１０７から補充可能か否かが判定される。
【００４５】
ロビー側一時保留部１０７内の金種別の紙幣の枚数は、制御部１１９内の特には図示しないメモリ内に記憶されている図６（ｃ）に示されるデータ構成例を有する金種別枚数データベースに保持されている。前述したように、制御部１１９は、ロビー側入金機１０１内のロビー側識別部１０６から、入金処理時にロビー側供給ホッパ１０４からロビー側一時保留部１０７に入金させた金種別の紙幣の枚数が通知されている。また、制御部１１９は、ロビー側入金機１０１内のロビー側分配部１０８から、ロビー側分配処理時にロビー側一時保留部１０７から金種カセット１１７ａ、１１７ｂ、１１７ｃ、１１７ｄに分配された各金種の紙幣の枚数が通知されている。制御部１１９は、金種毎に、上述の入金時の紙幣の枚数から分配処理時の紙幣の枚数を減算することにより、現在時点でロビー側一時保留部１０７に残っている紙幣の枚数を算出し、図６（ｃ）に例示される金種別枚数データベースの該当する金種項目に記憶させる。制御部１１９は、ステップＳ２０９で、ステップＳ２０３において判定された金種について、その金種に対応するロビー側一時保留部１０７内の紙幣枚数の値を図６（ｃ）に例示される金種別枚数データベースの該当する金種項目から読み出す。次に、制御部１１９は、（出金枚数＋補助枚数）から機内金種枚数を減算した値が、その読み出した値以下であるか否かを判定する。
【００４６】
金種カセット１１７で出金に足りない紙幣枚数を補充可能な紙幣がロビー側一時保留部１０７に残っておりステップＳ２０９の判定がＹＥＳならば、制御部１１９は、以下の処理で現在実行中のロビー側分配処理による分配処理を実行して足りない紙幣枚数を補充する。
【００４７】
この場合、職員は、現在実行中のロビー側分配処理を完全に実行させるか、紙幣枚数が足りた時点でロビー側分配処理を停止させるかの２通りの操作を指示できる。以下、前者の指示を「分配処理完了指示」という。職員は、オフィス側の特には図示しない操作卓から予め、上記２通りの操作のうちのいずれかを指示する。制御部１１９は、職員によるこの指示の結果を、特には図示しないメモリに記憶されている図６（ｂ）のデータ構成例で示されるモード設定データベース内の分配処理完了指示設定フラグとして記憶させる。例えば、現在実行中のロビー側分配処理を完全に実行させる指示がなされたときには、制御部１１９は、分配処理完了指示設定フラグに値１をセットする。一方、紙幣枚数が足りた時点でロビー側分配処理を停止させる指示がなされたときには、制御部１１９は、分配処理完了指示設定フラグに値０をセットする。
【００４８】
制御部１１９は、ステップＳ２０９の判定がＹＥＳになると、メモリ内の図６（ｂ）のデータ構成例のモード設定データベースに保持されている分配処理完了指示設定フラグの値が１か否かを判定する。これにより、制御部１１９は、分配処理完了指示がなされているか否かを判定する（ステップＳ２１０）。
【００４９】
制御部１１９は、分配処理完了指示がなされておりステップＳ２１０の判定がＹＥＳならば、ロビー側分配部１０８が現在実行中のロビー側分配処理をその処理が完了するまで継続させる（ステップＳ２１３）。次に、ロビー側分配処理が最後まで完了した後に、制御部１１９は、ステップＳ２０５のオフィス側出金処理に移行して、出金処理を開始する。
【００５０】
制御部１１９は、分配処理完了指示がなされておりステップＳ２１０の判定がＹＥＳならば、ロビー側分配部１０８が現在実行中のロビー側分配処理を継続させる（ステップＳ２１１）。
【００５１】
これと共に、制御部１１９は、随時、ロビー側分配部１０８からの金種別紙幣枚数カウント通知に基づいて更新している前述した図６（ｃ）に例示される金種別枚数データベースから金種毎の枚数値を読み出す。次に、制御部１１９は、全ての金種について、（出金枚数＋補助枚数）から機内金種枚数を減算した値がその読み出した値以下となったか否かを判定する（以上、ステップＳ２１２）。
【００５２】
制御部１１９は、ステップＳ２１２の判定がＮＯの間は、ステップＳ２１１に戻ってロビー側分配処理を継続させ、ステップＳ２１２で上記判定を繰り返す。
【００５３】
制御部１１９は、ステップＳ２１２の判定がＹＥＳになった時点で、ロビー側分配部１０８に対してロビー側分配処理の停止指示を出し（ステップＳ２０４）、次に、ステップＳ２０５のオフィス側出金処理に移行して、出金処理を開始する。
【００５４】
以上のようにして、本実施形態では、出金開始時にロビー側分配処理が実行されている場合、金種カセット１１７で出金に足りない紙幣の枚数をロビー側一時保留部１０７から補充可能なときは、ロビー側分配処理を継続させて補充を行ってから、出金処理を開始させることが可能となる。これにより、各金種カセット１１７ａ、１１７ｂ、１１７ｃ、１１７ｄとロビー側一時保留部１０７とロビー側分配部１０８の状態に応じて、出金処理を最適化することが可能となる。
【００５５】
なお、金種カセット１１７で出金に足りない紙幣枚数を補充可能な紙幣がロビー側一時保留部１０７にも残っておらずステップＳ２０９の判定がＮＯならば、制御部１１９は、出金不可カセットエラーを、特には図示しないディスプレイ等に表示する（ステップＳ２１４）。
【００５６】
次に制御部１１９は出金処理には移行せず、ロビー側分配部１０８が現在実行中のロビー側分配処理を継続させて、図２のフローチャートで示されるオフィス側出金最適化処理を終了する。
【００５７】
制御部１１９は、ステップＳ２０５では、ステップＳ２０１で算出してある金種毎の出金枚数に応じて、各金種カセット１１７ａ、１１７ｂ、１１７ｃ、１１７ｄに出金を指示する。これにより、各金種カセット１１７ａ、１１７ｂ、１１７ｃ、１１７ｄから、必要枚数の紙幣が、オフィス側出金箱１１８に出金される。
【００５８】
次に、制御部１１９は、オフィス側出金処理を完了させる（ステップＳ２１６）。
続いて、制御部１１９は、ステップＳ２０４でロビー側分配処理が停止した後、ロビー側一時保留部１０７内にいずれかの金種の紙幣が残っているか否かを判定する（ステップＳ２０７）。制御部１１９は、特には図示しないメモリ内の図６（ｃ）に例示される金種別枚数データベースの各金種の枚数項目に０以外の値が記憶されているか否かを判定することにより、上記判定を行う。
【００５９】
ロビー側一時保留部１０７内にいずれかの金種の紙幣が残っておりステップＳ２０７の判定がＹＥＳならば、制御部１１９は、ロビー側分配部１０８に対して、ステップＳ２０４で停止させたロビー側分配処理を再開させる（ステップＳ２０８）。これにより、ロビー側分配部１０８は、ロビー側分配処理を再開する。
【００６０】
このステップＳ２０８の後、またはロビー側一時保留部１０７内に紙幣が残っておらずステップＳ２０７の判定がＮＯの場合、制御部１１９は、図２のフローチャートで示されるオフィス側出金最適化処理を終了する。
【００６１】
以上のオフィス側出金最適化処理において、ステップＳ２１１またはＳ２１３でのロビー側分配部１０８によるロビー側分配処理の実行中にエラーが発生した場合は、入金と出金が混ざる可能性があるため出金処理は中止するように制御してよい。
【００６２】
図３は、図１の操作最適化制御部１２１の一機能であるロビー側入金最適化処理を示すフローチャートである。この処理は、図２のオフィス側出金最適化処理と同様に、例えば、制御部１１９を構成する特には図示しないプロセッサが特には図示しないメモリに記憶されたロビー側入金最適化処理の制御プログラムを実行する処理である。或いは、ＡＳＩＣ等の集積回路によって、操作最適化制御部１２１の上記機能が構成されてもよい。
【００６３】
職員は、まず予め、ロビー側の入金処理を優先的に最適化する指示を、オフィス側の特には図示しない操作卓から与えておく。この場合、制御部１１９は、特には図示しないメモリ内の図６（ｂ）のデータ構成例を有するモード設定データベースのロビー最適化有効設定フラグを１にセットする。
【００６４】
次に、顧客が、ロビー側の特には図示しない操作卓から入金処理を指示すると、上記ロビー最適化有効設定フラグが１になっている場合、制御部１１９は、図３のフローチャートで示されるロビー側入金最適化処理を起動する。
【００６５】
制御部１１９はまず、ロビー側入金機１０１のロビー側入金口１０３を開き、顧客による紙幣の入金の受付けを開始する（ステップＳ３０１）。
【００６６】
顧客が入金を完了すると、制御部１１９は、ロビー側入金機１０１のロビー側入金口１０３を閉じる。次に、前述したように、ロビー側供給ホッパ１０４内の紙幣は、ロビー側紙幣繰出し部１０５によって、ロビー側識別部１０６に送られる。ロビー側識別部１０６は、投入された紙幣の金種の識別を行う。ロビー側識別部１０６は、識別できた紙幣をロビー側一時保留部１０７に入れる。ロビー側識別部１０６は、識別できた紙幣の金種と枚数をカウントし、オフィス側入出金機１０２内の制御部１１９に通知する。制御部１１９は、この通知を受けて、入金処理を完了する（ステップＳ３０２）。
【００６７】
次に、制御部１１９は、オフィス側分配部１１５に問い合わせることにより、オフィス側紙幣についてオフィス側分配処理が実行中か否かを判定する（ステップＳ３０３）。
【００６８】
制御部１１９は、オフィス側分配処理が実行中ではなくステップＳ３０３の判定がＮＯならば、ステップＳ３０５に移行して、即座に、ロビー側分配処理を開始する。
【００６９】
制御部１１９は、オフィス側分配処理が実行中であってステップＳ３０３の判定がＹＥＳならば、オフィス側分配部１１５に対して、オフィス側分配処理の停止指示を出す（ステップＳ３０４）。これにより、オフィス側分配部１１５は、オフィス側分配処理を停止する。
【００７０】
次に、制御部１１９は、ステップＳ３０５に移行して、ロビー側分配処理を開始する。
ステップＳ３０５では、制御部１１９は、ロビー側分配部１０８に対して、ロビー側分配処理の開始を指示する。これにより、ロビー側分配部１０８は、ロビー側分配処理を開始する。
【００７１】
ロビー側分配処理が完了すると、ロビー側分配部１０８は、完了の旨を制御部１１９に通知する。これにより、制御部１１９は、ロビー側分配処理の完了を認識する（ステップＳ３０６）。
【００７２】
続いて、制御部１１９は、ステップＳ３０４でオフィス側分配処理が停止した後に、例えばオフィス側分配部１１５に問い合わせることにより、オフィス側一時保留部１１４内にいずれかの金種の紙幣が残っているか否かを判定する（ステップＳ３０７）。
【００７３】
オフィス側一時保留部１１４内にいずれかの金種の紙幣が残っておりステップＳ３０７の判定がＹＥＳならば、制御部１１９は、オフィス側分配部１１５に対して、ステップＳ３０４で停止させたオフィス側分配処理を再開させる（ステップＳ３０８）。これにより、オフィス側分配部１１５は、オフィス側分配処理を再開する。
【００７４】
このステップＳ３０８の後、またはオフィス側一時保留部１１４内に紙幣が残っておらずステップＳ３０７の判定がＮＯの場合に、制御部１１９は、図３のフローチャートで示されるロビー側入金最適化処理を終了する。
【００７５】
図４は、図１の操作最適化制御部１２１の一機能であるオフィス側入金最適化処理を示すフローチャートである。この処理は、図２のオフィス出金最適化処理と連携して処理が行われる。
【００７６】
次に、顧客が、オフィス側の特には図示しない操作卓から入金処理を指示すると、上記オフィス最適化有効設定フラグが１になっている場合、制御部１１９は、図４のフローチャートで示されるオフィス側入金最適化処理を起動する。
【００７７】
制御部１１９はまず、オフィス側入出金機１０２のオフィス側入金口１１０を開き、職員による紙幣の入金の受付けを開始する（ステップＳ４０１）。
【００７８】
職員が入金を完了すると、制御部１１９は、オフィス側入出金機１０２のオフィス側入金口１１０を閉じる。次に、前述したように、オフィス側供給ホッパ１１１内の紙幣は、オフィス側紙幣繰出し部１１２によって、オフィス側識別部１１３に送られる。オフィス側識別部１１３は、投入された紙幣の金種の識別を行う。オフィス側識別部１１３は、識別できた紙幣をオフィス側一時保留部１１４に入れる。オフィス側識別部１１３は、識別できた紙幣の金種と枚数をカウントし、制御部１１９に通知する。制御部１１９は、この通知を受けて、入金処理を完了する（ステップＳ４０２）。
【００７９】
続いて、制御部１１９は、ロビー側分配部１０８に問い合わせることにより、ロビー側紙幣についてロビー側分配処理が実行中か否かを判定する（ステップＳ４０３）。
【００８０】
制御部１１９は、ロビー側分配処理が実行中ではなくステップＳ４０３の判定がＮＯならば、ステップＳ４０５に移行して、即座に、オフィス側分配処理を開始する。
【００８１】
制御部１１９は、ロビー側分配処理が実行中であってステップＳ４０３の判定がＹＥＳならば、ロビー側分配部１０８に対して、ロビー側分配処理の停止指示を出す（ステップＳ４０４）。これにより、ロビー側分配部１０８は、ロビー側分配処理を停止する。
【００８２】
次に、制御部１１９は、ステップＳ４０５に移行して、オフィス側分配処理を開始する。
【００８３】
ステップＳ４０５では、制御部１１９は、オフィス側分配部１１５に対して、オフィス側分配処理の開始を指示する。これにより、オフィス側分配部１１５は、オフィス側分配処理を開始する。
【００８４】
オフィス側分配処理が完了すると、オフィス側分配部１１５は、完了の旨を制御部１１９に通知する。これにより、制御部１１９は、オフィス側分配処理の完了を認識する（ステップＳ４０６）。
【００８５】
続いて、制御部１１９は、ステップＳ４０４でロビー側分配処理が停止した後に、例えばロビー側分配部１０８に問い合わせることにより、ロビー側一時保留部１０７内にいずれかの金種の紙幣が残っているか否かを判定する（ステップＳ４０７）。あるいは特には図示しないメモリ内の図６（ｃ）の金種別枚数データベースを参照して、上記判定を行ってもよい。
【００８６】
ロビー側一時保留部１０７内にいずれかの金種の紙幣が残っておりステップＳ４０７の判定がＹＥＳならば、制御部１１９は、ロビー側分配部１０８に対して、ステップＳ４０４で停止させたロビー側分配処理を再開させる（ステップＳ４０８）。これにより、ロビー側分配部１０８は、ロビー側分配処理を再開する。
【００８７】
このステップＳ４０８の後、またはロビー側一時保留部１０７内に紙幣が残っておらずステップＳ４０７の判定がＮＯの場合に、制御部１１９は、図３のフローチャートで示されるオフィス側入金最適化処理を終了する。
【００８８】
図５は、図１の最適化操作設定部１２０の機能である最適化操作設定処理を示すフローチャートである。この処理は例えば、制御部１１９を構成する特には図示しないプロセッサが特には図示しないメモリに記憶された最適化操作設定処理の制御プログラムを実行する処理である。或いは、ＡＳＩＣ等の集積回路によって、最適化操作設定部１２０の機能が構成されてもよい。
【００８９】
この処理では、ステップＳ５０１において、職員は、オフィス側の出金処理、ロビー側の入金処理、またはオフィス側の入金処理のうちどの処理を優先的に最適化するかを指示する。
【００９０】
職員が、オフィス側の入出金処理を最適化する指示を出した場合、前述したように、制御部１１９は、特には図示しないメモリ内の図６（ｂ）のデータ構成例を有するモード設定データベースのオフィス最適化有効設定フラグを１にセットする。また、制御部１１９は、モード設定データベースのロビー最適化有効設定フラグは０にする。この場合、オフィス側の出金が指示されたときには、前述した図２のフローチャートで例示されるオフィス側出金最適化処理が実行され、オフィス側の入金が指示されたときには、前述した図４のフローチャートで例示されるオフィス側入金最適化処理が実行される。
【００９１】
職員が、ロビー側の入金処理を最適化する指示を出した場合、前述したように、制御部１１９は、図６（ｂ）のデータ構成例を有するモード設定データベースのロビー最適化有効設定フラグを１にセットする。また、制御部１１９は、モード設定データベースのオフィス最適化有効設定フラグは０にする。ロビー側の入金が指示されたときには、前述した図３のフローチャートで例示されるロビー側入金最適化処理が実行される。
【００９２】
職員が、オフィス側の出金処理のみを最適化する指示を出した場合、制御部１１９は、図６（ｂ）のデータ構成例を有するモード設定データベースのオフィス最適化有効設定フラグを１にし、ロビー最適化有効フラグも１にする。この場合、オフィス側の出金が指示されたときには、前述した図２のフローチャートで例示されるオフィス側出金最適化処理が実行される。一方、オフィス側の入金とロビー側の入金については、先に指示された入金を優先させる一般的な排他処理が実行される。
【００９３】
職員が、特に最適化が必要ない場合は、制御部１１９は、特には図示しないメモリ内の図６（ｂ）のデータ構成例を有するモード設定データベースのオフィス最適化有効設定フラグを０にし、ロビー最適化有効設定フラグも０にする。この場合、ロビー側の入金処理またはオフィス側の入出金処理では、先に指示された入金または出金を優先させる一般的な排他処理が実行される。
【００９４】
以上説明したようにして、本実施形態によれば、現金取引装置内の各部の状態に応じて分配処理および入出金処理を最適化することが可能となる。分配処理を最適化することで、入金及び出金間隔が短縮される。店舗によって設定が可能であり、各々のニーズに応えられる。条件によって即処理が可能となるため、連続出金または連続入金において、有効である。
【００９５】
以上の実施形態において、ロビー側識別部１０６とオフィス側識別部１１３は、投入された紙幣の金種や偽札の鑑別の処理と、その他の、汚損紙幣の検出やダブルフィールド（重なった紙幣）や破れ等の不明紙幣のリジェクト等の処理をまとめて行う機能部として実施されている。これに対して、例えば鑑別の機能とその他の機能は、それぞれ別の機構によって実現されてもよい。
【００９６】
また、鑑別またはその他の処理のためのセンサ機構とソフトウェア処理の機構は、ロビー側識別部１０６やオフィス側識別部１１３などが一体的な機構として実現してもよいし、ロビー側識別部１０６やオフィス側識別部１１３などがセンサ機構のみを実装し、ソフトウェア処理は制御部１１９が実行するように構成されてもよい。
【００９７】
さらに、本実施形態では、ロビー側一時保留部１０７またはオフィス側一時保留部１１４は、金種の区別をせずに現金を一時保留している。そして、ロビー側分配部１０８またはオフィス側分配部１１５は、ロビー側一時保留部１０７またはオフィス側一時保留部１１４から各金種カセット１１７ａ、１１７ｂ、１１７ｃ、１１７ｄに現金を分配するときに、ロビー側識別部１０６またはオフィス側識別部１１３に金種を識別させ、その識別された各金種の現金を各金種カセットに分配するように構成されている。これに対して、入金時にロビー側識別部１０６またはオフィス側識別部１１３で識別された金種別の現金を、ロビー側一時保留部１０７またはオフィス側一時保留部１１４が金種別に一時保留するように構成してもよい。この場合、ロビー側分配部１０８またはオフィス側分配部１１５は、ロビー側一時保留部１０７またはオフィス側一時保留部１１４に一時保留されている金種別の現金を、各金種カセット１１７ａ、１１７ｂ、１１７ｃ、１１７ｄにそのまま分配するように構成してもよい。
【符号の説明】
【００９８】
１００  リサイクルキャッシャー装置
１０１  ロビー側入金機
１０２  オフィス側入出金機
１０３  ロビー側入金口
１０４  ロビー側供給ホッパ
１０５  ロビー側紙幣繰出し部
１０６  ロビー側識別部
１０７  ロビー側一時保留部
１０８  ロビー側分配部
１０９  ロビー側リジェクト箱
１１０  オフィス側入金口
１１１  オフィス側供給ホッパ
１１２  オフィス側紙幣繰出し部
１１３  オフィス側識別部
１１４  オフィス側一時保留部
１１５  オフィス側分配部
１１６  オフィス側リジェクト箱
１１７、１１７ａ、１１７ｂ、１１７ｃ、１１７ｄ  金種カセット
１１８  オフィス側出金箱
１１９  制御部
１２０  最適化操作設定部
１２１  操作最適化制御部
【図１】
0006042786.tif 000002
【図２】
0006042786.tif 000003
【図３】
0006042786.tif 000004
【図４】
0006042786.tif 000005
【図５】
0006042786.tif 000006
【図６】
0006042786.tif 000007